(57)【要約】【課題】  １台のディスプレイにより、商品の複数の表示を行うことにより省スペースと、より多くの商品の紹介を提供すること。【解決手段】  巻物状のペーパーディスプレイをロール上に巻き取り、センター巻き取り部には表示内容を制御する、または巻き取り部から開放された表示部を検出して、表示部分の状況を表示する手段を設ける。具体的には着物の柄、巻尺での単位の表示など。【選択図】  図１
2009085994.tif 000002
【特許請求の範囲】
【請求項１】
フレキシブル基板上に配置された表示部及び周辺回路を有する、柔軟性のあるフレキシブルな形状を持つことが可能な表示装置において、収納時にはロール上に巻かれた状態で常に巻かれる状態方向に付勢され、閲覧時にはフレキシブルな表示装置の端部を巻かれる状態に付勢されている方向と反対側に引き出すことにより、前記表示装置の表示面が平面状に保たれる画面表示装置。
【請求項２】
収納時は画面表示部は非表示で、閲覧時における平面部が形成される部分において表示される画面表示装置。
【請求項３】
前記表示装置の巻き取り中心部には画面表示部の表示を制御する装置が配置されている画面表示装置。
【請求項４】
前記画面表示装置の閲覧時の引き出した引き出し量を検出する手段を設け、巻き取り中心部にはその検出信号に応じた数値を表示する表示手段を設けた画面表示装置。
【発明の詳細な説明】
【技術分野】
【０００１】
本発明はフレキシブルに折り曲げ可能なペーパーディスプレイに関する発明である。
【背景技術】
【０００２】
近年、画像を表示する装置としてフレキシブルな基板に画像を表示するための表示部、その画像を表示するための周辺回路を具備した、任意の形に折り曲げが可能なペーパーディスプレイが出現している。このディスプレイは大変便利なもので折り曲げが可能なので大きなサイズの表示装置でも小さく収納可能で携帯性に富み、かつ薄いものなので実際に配置する場合でも場所をとらないのでどこの場所にも配置が可能である。
【０００３】
上記の例として、下記特許文献１をあげることが出来る。
【特許文献１】特開2003-279866号公報
【発明の開示】
【発明が解決しようとする課題】
【０００４】
従来、衣服などの布製品を扱っている商店では近年の個人の好みの多様化もあって布地の柄も多様化している。より多くの顧客に対して満足度を高めるにはより多くの商品、ここにおいては布地の柄に当てはまるが、そういったものの品揃えを充実させていかないと顧客に対して魅力のないものとなってしまう。特に和服の布地柄などはカタログ写真などだけでは具体的なイメージがわかず、実際に布地を体に当てて自分の体型や好みに合うかどうかを、また柄のサイズが大きいのでやはり実物大で確認する必要が生じる。また金額的にも決してやすいものではないためにより正確な情報を得る必要がある。そのような条件であるとカタログに掲載されている写真のみでは顧客に対して購入するための十分な理解を得ることができない。そのためにそれ相応の商品の品揃えが必要となりそのため商品を確保するためのスペースが必要かつ条件となる。したがってそういった現在の状況を把握し疎かにすると商店そのものの存続が危ぶまれる昨今である。
【課題を解決するための手段】
【０００５】
フレキシブル基板上に配置された画面表示部及び周辺回路を有する柔軟性のある、フレキシブルに折り曲げ可能な画面表示装置をロール上に巻き付け、これを収納状態とする。閲覧時には巻き付け状態から画面表示装置を引き出すことによりその平面部に画像表示し、かつ表示内容を外部からの操作スイッチにより自由に選択することにより、前述の課題を解決することが可能となる。
【発明の効果】
【０００６】
１台のペーパーディスプレイにより、商品の複数の表示を行うことにより省スペースと、より多くの商品の紹介を提供することが出来るようになる効果がある。
【発明を実施するための最良の形態】
【０００７】
次に、本発明の詳細を実施例の記述に従って説明する。
【実施例１】
【０００８】
図１は本発明の実施例で、１はロール上に巻かれた布地表示するためのペーパーディスプレイ、２はペーパーディスプレイ１をロール上に巻くための巻芯部で内部にはペーパーディスプレイ１に絵柄を表示するための制御回路が内蔵されている。
【０００９】
図１においてはペーパーディスプレイ１をロール状態から引き出した状態の図であるが、引き出された平面部には布地柄１ａが表示されている。この布地柄は複数の柄の表示が可能で、巻芯部２に具備されているスイッチ２ｂを押すことによりその絵柄の表示内容を変更することが可能である。その表示されている柄のナンバーを２ａの表示装置にて表示をすることにより現在の絵柄がカタログ上の何番に当てはまるのか確認ができる。
【００１０】
即ち、スイッチ２ｂを押す度に表示装置の商品ナンバーとそれに当てはまるペーパーディスプレイ１の絵柄が切り替わる仕組みとなっている。
【００１１】
またペーパーディスプレイ１の平面部１ａが表示されている部分の平面部分のみ表示されるようになっている。表示することにより電力が消費されるが、当然のことながら表示面積が大きくなるにつれて消費電力も大きくなってしまう。必要な部分のみ表示することにより、消費電力を最小限に抑えることが可能となる。
【００１２】
これらの動作を図２のブロック図に示す。
【００１３】
図２において１１は布地ナンバーを入力するためのスイッチ、１２は回転検出エンコーダ、１３は布地のナンバーの信号、回転検出のエンコーダ出力から表示信号を出力するための制御回路、１４は布地ナンバー、布地柄を表示するための表示回路、１５は布地ナンバーを表示するための表示装置、１６は布地柄を表示するためのペーパーディスプレイである。
【００１４】
１０の過程のペーパーディスプレイ１を引き出すことにより、ペーパーディスプレイ１の平面部1ａが出現する。ペーパーディスプレイ１を引き出すことにより、ロール状部のペーパーディスプレイ１が回転する。ペーパーディスプレイ１が回転することにより、回転検出エンコーダ１２よりある所定の角度を回転すると、パルスが出力される。その出力されたパルスを制御回路１３に入力すると制御回路１３はその入力パルスをカウントし、ロールの回転数を演算する。その回転数に応じたペーパーディスプレイ１の表示領域を表示回路１４に表示信号としてペーパーディスプレイ１に入力する。そうすることによりペーパーディスプレイ１にはある一定の領域の表示がされるようになる。
【００１５】
スイッチ１１では布地の柄ナンバーが入力され、その柄ナンバーを表示回路１４に入力する。その柄ナンバー信号より、所定のナンバーを出力するための信号を布地ナンバー表示装置１５に入力し、布地ナンバー表示装置１５ではスイッチ１１で指定されたナンバーを表示する。
【００１６】
ペーパーディスプレイ１の平面部１ａはペーパーディスプレイ１を引き出しても平面を保つようにペーパーディスプレイ１の引っ張り方向と反対側に付勢する力が発生する。
【００１７】
その構造について説明する。
【００１８】
図３、図４は本発明の断面図である。ロールの巻き芯部２はロールの回転にかかわらず固定されている固定部２ｃ、ロールの回転と同じ回転をする回転部２ｄ、ロールを引き出したときに引っ張り方向と反対側に付勢された力を出力するバネ部３から構成されている。バネ部３はゼンマイ上のバネでバネのそれぞれの端部が固定部２ｃ、回転部２ｄで連結保持されている。
【００１９】
図３は収納状態の断面図で即ちペーパーディスプレイ１の平面部１ａが引っ張り出されていない状態である。バネ部３は解放状態に対し、多少巻き締まった状態でペーパーディスプレイ１の引き出す方向と反対側に力が働いているかたちで留まっている。図４においてはペーパーディスプレイ１の平面部１ａが引き出された状態で、ペーパーディスプレイ１が引っ張り出されることにより、ロール部が回転し、それに伴い回転部２ｄも回転する。回転部２ｄが回転することによりバネ３回転部２ｄ側の端部も回転することになりバネ部３はゼンマイが締まる方向に回転する。一方固定部２ｃ側のバネ部３の端部は回転せず、連結保持位置が変わらないままである。即ちバネ部３はゼンマイが締まっていく形へと変化する。バネ部３は解放する方向に力が働き、図４でいうと時計回りに回転する方向に力が働いている。即ちペーパーディスプレイ１の引っ張り方向に対し、反対側に力が働くことになる。
【００２０】
そうすることにより、ペーパーディスプレイ１の平面部１ａは平面が保つことが可能となる。
【実施例２】
【００２１】
図５は第２の実施例で、ペーパーディスプレイを巻き尺に応用した例である。
【００２２】
寸法の単位はメートルやインチなど世界中でいろいろな単位が使用され、また測定するものによっては特有の単位でないとわからないものもある。従来の巻き尺であると、それぞれ専用の単位が表示されているので、他の単位で長さを測定しようとした場合、また専用の単位の巻き尺を使用しなくてはならない。こういった不便さを解消するために本発明を利用した例である。
【００２３】
１０１は巻き尺本体部、１０２は巻き尺の表示内容を変更するためのスイッチ、１０３は巻き尺の単位、代表寸法を表示するための表示装置、である。
【００２４】
１０１ａはペーパーディスプレイで構成されており、本実施例では寸法の目盛りが表示される。スイッチ１０２を押すことにより、必要としている単位の表示が可変可能となっており、１０３の表示装置にその単位が表示される。また１０１ｂは表示されている目盛り農中で太く長く表示されており、その部分の寸法が代表的な寸法として表示装置１０３に数値として表示されている。この寸法は測定するための目安として役立てている。
【実施例３】
【００２５】
図６は第３の実施例である。本実施例は掛け軸に応用したものである。２０１はペーパーディスプレイの巻き取り部、２０２はペーパーディスプレイ部、２０３は錘である。ペーパーディスプレイ部２０２に表示される画像はスイッチ２０１ａを押すことにより画像を切り替えることが可能である。錘２０３はペーパーディスプレイ部２０２を引っ張り出しているために発生している引っ張りだしている方向と反対側の力に対抗してペーパーディスプレイ部２０２が巻き取り部２０１に収納されないための錘である。
【００２６】
実施例ではペーパーディスプレイ部２０２に表示されているのは絵画であるが、季節、置かれている状況、その場の雰囲気でスイッチ２０１ａを押すことにより任意の画像に切り替えることが可能である。
【図面の簡単な説明】
【００２７】
【図１】本発明の第１の実施例で、ペーパーディスプレイに布地の絵柄表示を施した例。
【図２】本発明の第１の実施例における動作ブロック図。
【図３】本発明の第１の実施例における断面図で、ペーパーディスプレイを引っ張り出していない初期状態の図。
【図４】本発明の第１の実施例における断面図で、ペーパーディスプレイを引っ張り出した状態の図。
【図５】本発明の第２の実施例で、巻き尺に応用した例。
【図６】本発明の第３の実施例で、掛け軸に応用した例。
【符号の説明】
【００２８】
１  ロール上に巻かれたペーパーディスプレイ
２  ペーパーディスプレイを巻くための芯
３  バネ部
１０１  巻き尺本体
１０２  メモリきり換えスイッチ
１０３  目安の寸法、単位の表示装置
２０１  ペーパーディスプレイ巻き取り部
２０２  ペーパーディスプレイ表示領域
２０３  錘
【図１】
2009085994.tif 000003
【図２】
2009085994.tif 000004
【図３】
2009085994.tif 000005
【図４】
2009085994.tif 000006
【図５】
2009085994.tif 000007
【図６】
2009085994.tif 000008